(57)【要約】【課題】排尿時において排泄物が外部から見えることがなく、湿潤状態においてもインジケータとしての機能を確保できるようにする。【解決手段】吸収性物品において、バックシート２と吸収体コア３との間に、水分により変化するインジケータ手段９を前記バックシート２側に具備する親水性シート８を接着した状態で介設するとともに、前記親水性シート８の接着力を、湿潤状態において１００ｇ／５０ｍｍ以上に設定して、排尿時においては、吸収体コア３に吸収された尿が親水性シート８において拡散し、排泄物が外部から見えることがなく、広範囲にわたって素早くインジケータ手段９が変色あるいは色調変化するとともに、尿により濡れた場合であっても、インジケータ手段９がバックシート２側に密着した状態を保持できるようにしている。【選択図】        図２
2005052190.tif 000002
【特許請求の範囲】
【請求項１】
液透過性のトップシートと光透過性を有する液不透過性のバックシートとの間に、吸収体コアを介在させてなる吸収性物品であって、前記バックシートと前記吸収体コアとの間には、水分により変化するインジケータ手段を前記バックシート側に具備する親水性シートを接着した状態で介設するとともに、該親水性シートの接着力を、湿潤状態において１００ｇ／５０ｍｍ以上に設定したことを特徴とする吸収性物品。
【請求項２】
前記親水性シートと前記バックシートとの間には、光透過性を有する液不透過性の防水シートを接着介在させたことを特徴とする前記請求項１記載の吸収性物品。
【請求項３】
前記親水性シートにおけるＭＤ方向のクレム吸水度を４５ｍｍ以上に設定したことを特徴とする前記請求項１および２のいずれか一項記載の吸収性物品。
【発明の詳細な説明】
【０００１】
【発明の属する技術分野】
本願発明は、尿等が排泄されたことを知らせるインジケータ手段を備えた吸収性物品に関するものである。
【０００２】
【従来の技術】
従来から、尿等が排泄されたことを知らせるインジケータ手段を備えた吸収性物品はよく知られている。例えば、液透過性のトップシートと光透過性を有する液不透過性のバックシートとの間に、吸収体コアと該吸収体コアの前記バックシート側に位置する光透過性を有する液不透過性の防水シートとを介在させて構成された使い捨ておむつ（吸収性物品の一例）において、前記防水シートに、インジケータ手段を印刷あるいは塗布することにより形成したものがある。この場合、防水シートが透明性の高いシートにより構成されているため、インジケータ手段が水分により変化したとき、排泄物が外部から見えてしまうことがあるという不具合が存する。
【０００３】
ところで、特許文献１には、インジケータ手段を、バックシートと吸収体コアとの間に位置する吸水性シートと、該吸水性シートに形成され、前記バックシート外側から常時視認可能であり、前記バックシートとは異なる色調の第１着色部と、前記吸水性シートに形成され、前記バックシートと前記第１着色部との間に位置し、乾燥状態では前記第１着色部の色調を部分的に隠蔽し、湿潤状態になると透明性を帯びて前記バックシート外側から前記第１着色部の色調の視認を可能にする第２着色部とによって構成した使い捨ておむつが開示されている。
【０００４】
【特許文献１】
特開平１０−７５９８０号公報（段落番号「０００７」、図２）。
【０００５】
【発明が解決しようとする課題】
上記特許文献１に開示されている使い捨ておむつの場合、吸水性シートは、吸収体コアの外装部材であるティッシュー紙に対してホットメルト接着剤を介して接着されており、インジケータ手段を構成する第１および第２着色部側は、非密着状態あるいはホットメルト接着剤により間欠的に接着されているため、排尿時において吸水性シートが湿潤状態となったとき、インジケータ手段を構成する着色部がバックシートから離れとしまうおそれがあり、インジケータ手段としての機能が損なわれる場合がある。
【０００６】
本願発明は、上記の点に鑑みてなされたもので、排尿時において排泄物が外部から見えることがなく、湿潤状態においてもインジケータ手段としての機能を確保できるようにすることを目的とするものである。
【０００７】
【課題を解決するための手段】
本願発明では、上記課題を解決するための第１の手段として、液透過性のトップシートと光透過性を有する液不透過性のバックシートとの間に、吸収体コアを介在させてなる吸収性物品において、前記バックシートと前記吸収体コアとの間に、水分により変化するインジケータ手段を前記バックシート側に具備する親水性シートを接着した状態で介設するとともに、該親水性シートの接着力を、湿潤状態において１００ｇ／５０ｍｍ以上に設定している。
【０００８】
上記のように構成したことにより、排尿時においては、吸収体コアに吸収された尿が親水性シートにおいて拡散し、広範囲にわたって素早くインジケータ手段が変色あるいは色調変化する。従って、使用者が容易に排尿を確認することができる。しかも、インジケータ手段と吸収体コアとの間には親水性シートが介在されているため、親水性シートに遮蔽されて排泄物が外部から見えるということがなくなる。また、親水性シートが湿潤状態において１００ｇ／５０ｍｍ以上の接着力で接着されるようにしているため、尿により濡れた場合であっても、インジケータ手段がバックシート側に密着した状態を保持できることとなり、外部からのインジケータ手段の判別が容易となる。
【０００９】
本願発明では、さらに、上記課題を解決するための第２の手段として、上記第１の手段を備えた吸収性物品において、前記親水性シートと前記バックシートとの間に、光透過性を有する液不透過性の防水シートを接着介在させることもでき、そのように構成した場合、インジケータ手段が防水シートに密着した状態を保持できることとなり、インジケータ手段の外部からの視認性が格段に向上する。
【００１０】
本願発明では、さらに、上記課題を解決するための第３の手段として、上記第１又は第２の手段を備えた吸収性物品において、前記親水性シートにおけるＭＤ方向のクレム吸水度を４５ｍｍ以上に設定することもでき、そのように構成した場合、親水性シートにおける尿の拡散スピードを保持できることとなり、インジケータ手段の素早い変化を確保することができる。
【００１１】
【発明の実施の形態】
以下、添付の図面を参照して、本願発明の幾つかの好適な実施の形態について詳述する。
【００１２】
第１の実施の形態
図１および図２には、本願発明の第１の実施の形態にかかる吸収性物品が示されている。
【００１３】
この吸収性物品は、図１および図２に示すように、液透過性のトップシート１と光透過性を有する液不透過性のバックシート２との間に吸収体コア３を介在させて構成されたパンツタイプの使い捨ておむつとされている。
【００１４】
前記バックシート２と前記吸収体コア３との間には、光透過性を有する液不透過性の防水シート４が配設されている。符号１０は前身頃１１と後身頃１２とを接合するための接合部、１３は股間部である。
【００１５】
前記トップシート１は、液透過性の不織布からなっており、その両側端部には、液不透過性あるいは疎水性のギャザーシート５，５がホットメルト接着剤ＨＭを用いて接合されている。
【００１６】
前記バックシート２は、光透過性を有する液不透過性の不織布からなっている。
【００１７】
前記吸収体コア３は、パルプと高吸水性ポリマーとからなる吸収体６をクレープ紙７で被包して構成されており、前記トップシート１と前記防水シート４との間においてホットメルト接着剤ＨＭにより接着されている。
【００１８】
前記防水シート４は、例えば光透過性のプラスチックフィルム（ポリエチレン、ポリプロピレン等）からなっており、前記バックシート２の内面に対して透明なホットメルト接着剤ＨＭ（図２に×印で示す）により接着されている。
【００１９】
前記吸収体コア３と前記防水シート４との間には、吸収体コア３とほぼ同一面積を有する親水性シート８が介在せしめられている。該親水性シート８としては、親水性不織布（例えば、ＳＭＳ、スパンボンド等）、スパンレース（コットンやレーヨン等使用）、クレープ紙、エアレイドパルプシート等を使用することができる。なお、限定はしないが、目付けは１０〜３０ｇ／ｍ２のものを使用できる。また、クレープ紙の場合、クレープ率が３〜３０％のものを使用することができる。
【００２０】
ところで、前記親水性シート８におけるバックシート２側からみた寸法は、吸収体コア３の幅に対して、幅方向が１〜１００％とすることができる。但し、幅寸法は４ｍｍ程度が下限寸法である。また、吸収体コア３の長さに対して、長さ方向が２０〜１００％とすることができる。長さ寸法は、限定はしないが３ｃｍ程度が識別し易い下限寸法である。縦横の寸法が、この寸法以下では、拡散効果が低減するので好ましくない。親水性シートは、全面にわたり防水シート４に接着されている必要はなく、着用者の股下部近辺で接着させることが好ましい。
【００２１】
前記親水性シート８における前記防水シート４側の面には、水分により変化するインジケータ手段９が印刷あるいは塗布により形成されている。該インジケータ手段９としては、水分散インク、水溶性インク、水溶性インクと油溶性インクとの混合インク等あるいはホットメルトインジケータで描かれた絵柄が用いられる。ここで、ホットメルトインジケータとは、ｐＨ調整成分およびｐＨの変化に反応して変色することのできる指示薬（例えば、エチルレッド、ブロモフェノールブルー（イーストマン  コダック社製）、ブロモフェノールブルーと混合したブロモクレゾールグリーン）を含む接着剤組成物のことである（特開２００１−１１４２５号公報参照）。
【００２２】
上記親水性シート８は、前記防水シート４に対してホットメルト接着剤ＨＭにより接着されており、その接着力は、１００ｇ／５０ｍｍ以上とするのが望ましい。なお、親水シート８は、全面に亙って防水シート４に接着されている必要はなく、望ましくは、着用者の股下部において接着されていればよい。また、親水性シート８における水分の拡散を速やかに且つ広範囲に行わしめるには、親水性シート８のＭＤ方向のクレム吸水度は４５ｍｍ以上とされるが、６０ｍｍ以上とするのが好ましく、１００ｍｍ以上とするのがより好ましい。
【００２３】
ここで、親水性シート８の接着力は、次のようにして測定される。
【００２４】
防水シート４のある部分を切り取り、親水性シート８についているパルプを取り除く。防水シート４の中央から両端２５ｍｍ、７５ｍｍに切り取って試料とし、５００ｍｌのビーカーに約３００ｍｌの水道水を入れたものに試料を５秒間浸け、その後１０秒間キッチンペーパー（３枚重ねで二つ折り）に挟んで３ｋｇの重りを置く。次いで、７５ｍｍに切り取った側の５０ｍｍをコールドスプレーで剥がし、残りの５０ｍｍ分をチャック間５０ｍｍ、速度３００ｍｍ／ｓｅｃに設定したストログラフで剥がす。最大値、最小値を読み取り、平均値は最大、最小値を除いた、上下６点の平均で読み取る。
【００２５】
また、クレム吸水度とは、クレム法による吸水度試験方法により測定されるものであり、試験片は短辺から５ｍｍのところにそれと平行に鉛筆で標線を引き、垂直に保持し、標線まで手早く水の中に入れ、１分間または１０分間に水が上昇した紙幅の中央の位置までの高さをｍｍ単位で読み取った値とされる。
【００２６】
前記インジケータ手段９は、例えば図３に示すように、水溶性インクで描かれた笑顔の絵柄と油溶性インクで描かれた泣き顔の絵柄とによって構成されており、乾燥時においては図３（イ）に示すように、笑顔の絵柄が現れているが、排尿時には、水溶性インクで描かれた笑顔の絵柄が消えて、油溶性インクで描かれた泣き顔の絵柄が出現することとなっている。このような絵柄の変化によって排尿があったことが容易且つ迅速に視認できるのである。なお、インジケータ手段９は、このような絵柄の変化に限定されるものではなく、色調の変化等を起こすものであってもよい。
【００２７】
上記のように構成したことにより、排尿時においては、吸収体コア３に吸収された尿が親水性シート８を拡散し、広範囲にわたって素早くインジケータ手段９が変色あるいは色調変化する。つまり、図３（イ）に示す笑顔の絵柄から図３（ロ）に示す泣き顔の絵柄へと変化するのである。従って、使用者が容易に排尿を確認することができる。しかも、インジケータ手段９と吸収体コア３との間には親水性シート８が介在しているため、排泄物が外部から見えるということがなくなる。また、親水性シート８が、湿潤状態において１００ｇ／５０ｍｍ以上の接着力で防水シート４に接着されているため、尿により濡れた場合であっても、インジケータ手段９が防水シート４と密着した状態を保持できることとなり、外部からインジケータ手段９を判別し易くなる。さらに、親水性シート８のクレム吸水度が４５ｍｍ以上に設定されているため、親水性シート８における尿の拡散スピードを保持できることとなり、インジケータ手段９の素早い変化を確保することができる。
【００２８】
ところで、上記実施の形態においては、インジケータ手段９を親水性シート８に形成したものについて説明しているが、親水性シート８に代えて吸収体コア３を構成すべく吸収体６を被包しているクレープ紙７にインジケータ手段９を形成するようにしてもよい。この場合、クレープ紙７は防水シート４に接着される。
【００２９】
第２の実施の形態
図４および図５には、本願発明の第２の実施の形態にかかる吸収性物品である使い捨ておむつが示されている。
【００３０】
この場合、図４に示すように、親水性シート８は、股間部１３から前身頃１１にかけての部位（換言すれば、排尿領域）のみに配設されている。また、この場合、防水シートは省略されている。このようにすると、親水性シート８は必要最小限でよいこととなり、コストダウンに寄与する。その他の構成および作用効果は、第１の実施の形態におけると同様なので説明を省略する。
【００３１】
本願発明は、上記実施の形態において説明した使い捨ておむつ以外の吸収性物品（例えば、生理用品等）にも適用可能である。
【００３２】
【発明の効果】
本願発明の第１の手段によれば、液透過性のトップシートと光透過性を有する液不透過性のバックシートとの間に、吸収体をクレープ紙に包ん構成された吸収体コアを介在させてなる吸収性物品において、前記バックシートと前記吸収体コアとの間に、水分により変化するインジケータ手段を前記バックシート側に具備する親水性シートを接着した状態で介設して、排尿時においては、吸収体コアに吸収された尿が親水性シートにおいて拡散し、広範囲にわたって素早くインジケータ手段が変色あるいは色調変化するようにしたので、使用者が容易に排尿を確認することができるという効果がある。しかも、インジケータ手段と吸収体コアとの間には親水性シートが介在されているため、親水性シートに遮蔽されて排泄物が外部から見えるということがなくなるという効果もある。また、親水性シートが湿潤状態において１００ｇ／５０ｍｍ以上の接着力で接着されるようにしているため、尿により濡れた場合であっても、インジケータ手段がバックシート側に密着した状態を保持できることとなり、外部からのインジケータ手段の判別が容易となるという効果もある。
【００３３】
本願発明の第２の手段におけるように、上記第１の手段を備えた吸収性物品において、前記親水性シートと前記バックシートとの間に、光透過性を有する液不透過性の防水シートを接着介在させることもでき、そのように構成した場合、インジケータ手段が防水シートに密着した状態を保持できることとなり、インジケータ手段の外部からの視認性が格段に向上する。
【００３４】
本願発明の第３の手段におけるように、上記第１又は第２の手段を備えた吸収性物品において、前記親水性シートにおけるＭＤ方向のクレム吸水度を４５ｍｍ以上に設定することもでき、そのように構成した場合、親水性シートにおける尿の拡散スピードを保持できることとなり、インジケータ手段の素早い変化を確保することができる。
【図面の簡単な説明】
【図１】本願発明の第１の実施の形態にかかる吸収性物品の展開状態を示す背面図である。
【図２】図１のＩＩ−ＩＩ拡大断面図である。
【図３】本願発明の第１の実施の形態にかかる吸収性物品の斜視図であって、（イ）は乾燥状態を示し、（ロ）は排尿状態を示す。
【図４】本願発明の第２の実施の形態にかかる吸収性物品の展開状態を示す背面図である。
【図５】図１のＶ−Ｖ拡大断面図である。
【符号の説明】
１はトップシート、２はバックシート、３は吸収体コア、４は防水シート、６は吸収体、７はクレープ紙、８は親水性シート、９はインジケータ手段。
【図１】
2005052190.tif 000003
【図２】
2005052190.tif 000004
【図３】
2005052190.tif 000005
【図４】
2005052190.tif 000006
【図５】
2005052190.tif 000007